(57)【要約】【課題】瞳孔中心の位置を正確に算出して被験者の視点を正確に検出できる視線検出装置を提供する。【解決手段】視線検出装置は、検出光が照射された眼球の画像から、左右それぞれの眼球の瞳孔の中心を示す瞳孔中心位置を検出する位置検出部と、位置検出部で検出した瞳孔中心位置を用いて、左右それぞれの眼球の視点を検出する視点検出部と、眼球の画像から、左右それぞれの眼球の瞳孔の大きさを示す瞳孔パラメータを抽出する抽出部と、左の眼球の視点と右の眼球の視点とを瞳孔パラメータに基づいて補正して合成視点を算出する補正部と、を備える。【選択図】図６
2020038734.tif 000002
【特許請求の範囲】
【請求項１】
検出光が照射された眼球の画像から、左右それぞれの眼球の瞳孔の中心を示す瞳孔中心位置を検出する位置検出部と、
前記位置検出部で検出した前記瞳孔中心位置を用いて、左右それぞれの眼球の視点を検出する視点検出部と、
前記眼球の画像から、左右それぞれの眼球の瞳孔の大きさを示す瞳孔パラメータを抽出する抽出部と、
左の眼球の視点と右の眼球の視点とを前記瞳孔パラメータに基づいて補正して合成視点を算出する補正部と、
を備える視線検出装置。
【請求項２】
左右それぞれの眼球の角膜曲率半径を算出する曲率半径算出部を更に備え、
前記位置検出部は、前記検出光が照射された前記眼球の画像から、左右それぞれの眼球の瞳孔の中心を示す瞳孔中心位置と角膜反射の中心を示す角膜反射中心位置とを検出し、
前記曲率半径算出部は、前記検出光の光源の位置と前記角膜反射中心位置とから、左右それぞれの眼球の角膜曲率半径を算出し、
前記視点検出部は前記位置検出部で検出した前記瞳孔中心位置と前記角膜曲率半径とを用いて、左右それぞれの眼球の視点を検出する、
請求項１に記載の視線検出装置。
【請求項３】
前記瞳孔パラメータは、前記眼球の画像において取得される左右それぞれの眼球の瞳孔の面積を含む、
請求項１又は請求項２に記載の視線検出装置。
【請求項４】
前記補正部は、抽出された前記瞳孔パラメータに基づいて、左右の眼球の瞳孔のうち前記瞳孔パラメータが大きい方の眼球の視点に付与する重みを、前記瞳孔パラメータが小さい方の眼球の視点に付与する重みよりも大きくする、
請求項１から請求項３のいずれか一項に記載の視線検出装置。
【請求項５】
前記検出光を照射する光源と、
眼球を撮像する撮像部と、
算出された前記合成視点を表示部に表示させる出力制御部とを更に備える、
請求項１から請求項４のいずれか一項に記載の視線検出装置。
【請求項６】
光源から射出された検出光を被験者の眼球に照射し、
前記検出光が照射された前記眼球の画像から、左右それぞれの眼球の瞳孔の中心を示す瞳孔中心位置を検出し、
検出した前記瞳孔中心位置を用いて、左右それぞれの眼球の視点を検出し、
前記眼球の画像から、左右それぞれの眼球の瞳孔の大きさを示す瞳孔パラメータを抽出し、
右の眼球の視点と左の眼球の視点とを前記瞳孔パラメータに基づいて補正して合成視点を算出する視線検出方法。
【請求項７】
光源から射出された検出光を被験者の眼球に照射し、
前記検出光が照射された前記眼球の画像から、左右それぞれの眼球の瞳孔の中心を示す瞳孔中心位置と角膜反射の中心を示す角膜反射中心位置とを検出し、
前記光源の位置と前記角膜反射中心位置とから、左右それぞれの眼球の角膜曲率半径を算出するキャリブレーション処理と、
前記キャリブレーション処理の後に、
光源から射出された検出光を被験者の眼球に照射し、
前記検出光が照射された前記眼球の画像から、左右それぞれの眼球の瞳孔の中心を示す瞳孔中心位置を検出し、
検出した前記瞳孔中心位置と、前記キャリブレーション処理で算出した前記角膜曲率半径とを用いて左右それぞれの眼球の視点を検出し、
前記眼球の画像から、左右それぞれの眼球の瞳孔の大きさを示す瞳孔パラメータを抽出し、
右の眼球の視点と左の眼球の視点とを前記瞳孔パラメータに基づいて補正して合成視点を算出する視点検出処理と
を含む視線検出方法。
【発明の詳細な説明】
【技術分野】
【０００１】
本発明は、視線検出装置及び視線検出方法に関する。
【背景技術】
【０００２】
操作者又は被験者がモニタ画面などの観察面上で注視している位置を検出する、視線検出装置が提案されている。顔に装置を取り付けることなく被験者の視線方向を非接触で検出する方法として、被験者の眼球に検出光を照射し、検出光が照射された眼球の画像から瞳孔中心と角膜曲率中心とを算出し、角膜曲率中心から瞳孔中心へ向かうベクトルを被験者の視線方向として検出する方法がある。
【先行技術文献】
【特許文献】
【０００３】
【特許文献１】特許第２７３９３３１号公報
【発明の概要】
【発明が解決しようとする課題】
【０００４】
瞳孔中心は、眼球の画像から算出される。瞳孔中心が正確に算出されないと、被験者の視点を正確に検出することが困難となる。
【０００５】
本発明は、瞳孔中心を正確に算出して被験者の視点を正確に検出できる視線検出装置及び視線検出方法を提供することを目的とする。
【課題を解決するための手段】
【０００６】
本発明は、被験者の眼球に検出光を照射する光源と、前記検出光が照射された前記眼球の画像から、左右それぞれの眼球の瞳孔の中心を示す瞳孔中心の位置と角膜反射の中心を示す角膜反射中心の位置とを検出する位置検出部と、前記光源の位置と前記角膜反射中心の位置とから、左右それぞれの眼球の角膜曲率半径を算出する曲率半径算出部と、前記瞳孔中心の位置と前記角膜曲率半径とから、左右それぞれの眼球の視点を検出する視点検出部と、前記眼球の画像から、左右それぞれの眼球の瞳孔の大きさを示す瞳孔パラメータを抽出する抽出部と、左の眼球の視点と右の眼球の視点とを前記瞳孔パラメータに基づいて補正して合成視点を算出する補正部と、を備える。
【発明の効果】
【０００７】
本発明に係る視線検出装置及び視線検出方法は、瞳孔中心を正確に算出して被験者の視点を正確に検出できるという効果を奏する。
【図面の簡単な説明】
【０００８】
【図１】図１は、１つの光源を使用した場合の被験者の目の様子を示す図である。
【図２】図２は、２つの光源を使用した場合の被験者の目の様子を示す図である。
【図３】図３は、本実施形態の表示部、ステレオカメラ、赤外線光源及び被験者の配置の一例を示す図である。
【図４】図４は、本実施形態の表示部、ステレオカメラ、赤外線光源及び被験者の配置の一例を示す図である。
【図５】図５は、診断支援装置の機能の概要を示す図である。
【図６】図６は、図５に示す各部の詳細な機能の一例を示すブロック図である。
【図７】図７は、１つの光源を用いると仮定した場合の処理の概要を説明する図である。
【図８】図８は、本実施形態の診断支援装置により実行される処理の概要を説明する図である。
【図９】図９は、瞳孔中心位置と角膜曲率中心位置との距離を算出するキャリブレーション処理を説明するための図である。
【図１０】図１０は、本実施形態のキャリブレーション処理の一例を示すフローチャートである。
【図１１】図１１は、事前に求めた距離を使用して角膜曲率中心の位置を算出する方法を示した図である。
【図１２】図１２は、本実施形態の視線検出処理の一例を示すフローチャートである。
【図１３】図１３は、本実施形態のステレオカメラで撮影された被験者の目の一例を示す模式図である。
【図１４】図１４は、本実施形態の瞳孔の面積の算出方法を示す模式図である。
【図１５】図１５は、本実施形態の表示部の表示例を示す図である。
【図１６】図１６は、変形例の算出処理を説明するための図である。
【図１７】図１７は、変形例の算出処理の一例を示すフローチャートである。
【発明を実施するための形態】
【０００９】
以下、本発明に係る視線検出装置及び視線検出方法の実施形態について図面を参照しながら詳細に説明する。なお、この実施形態により本発明が限定されるものではない。また、以下では、視線検出結果を用いて被験者の診断を支援する診断支援装置に視線検出装置を用いた例を説明する。適用可能な装置は診断支援装置に限られるものではない。
【００１０】
本実施形態の視線検出装置は、２ヵ所に設置された照明部を用いて視線を検出する。また、本実施形態の視線検出装置は、視線検出前に被験者に１点を注視させて測定した結果を用いて、角膜曲率中心の位置及び角膜曲率半径を高精度に算出する。
【００１１】
なお、照明部とは、光源を含み、被験者の眼球に光を照射可能な要素である。光源とは、例えばＬＥＤ（Light  Emitting  Diode）などの光を発生する素子である。光源は、１個のＬＥＤから構成されてもよいし、複数のＬＥＤを組み合わせて１ヵ所に配置することにより構成されてもよい。以下では、このように照明部を表す用語として「光源」を用いる場合がある。
【００１２】
視点検出を精度良く行うためには、瞳孔の位置を正しく検出できることが重要となっている。近赤外の光源を点灯させカメラで撮影した場合、カメラと光源との距離が一定以上離れていると、瞳孔は他の部分より暗くなることがわかっている。この特徴を用いて瞳孔位置が検出される。
【００１３】
本実施形態では、２台のカメラに対して、光源をそれぞれのカメラの外側に２ヶ所配置する。そして、これらの２つの光源を相互に異なるタイミングで点灯させ、点灯している光源からの距離が長い方（遠い方）のカメラで撮影する。これにより、瞳孔をより暗く撮影し、瞳孔と他の部分とを、より高精度に区別することが可能となる。
【００１４】
この場合、点灯させる光源が異なるため、通常のステレオ方式による三次元計測を単純に適用することができない。すなわち、視点を求める際の光源と角膜反射とを結ぶ直線を世界座標で算出することができない。そこで本実施形態では、２つのタイミングでの、撮像に用いるカメラ相互の位置関係、及び、点灯させる光源相互の位置関係を、仮想的な光源の位置を示す仮想光源位置に対してそれぞれ対称とする。そして、２つの光源それぞれの点灯時に得られる２つの座標値を、左カメラによる座標値及び右カメラによる座標値として世界座標に変換する。これにより、２つの光源それぞれの点灯時に得られる角膜反射の位置を用いて、仮想光源と角膜反射とを結ぶ直線を世界座標で算出すること、及び、この直線に基づき視点を算出することが可能となる。
【００１５】
図１は、１つの光源を使用した場合の被験者の目１１の様子を示す図である。図１に示すように、虹彩１２と瞳孔１３との暗さの差が十分ではなく、区別が困難となる。図２は、２つの光源を使用した場合の被験者の目２１の様子を示す図である。図２に示すように、虹彩２２と瞳孔２３との暗さの差は、図１と比較して大きくなっている。
【００１６】
図３及び図４は、本実施形態の表示部、ステレオカメラ、赤外線光源及び被験者の配置の一例を示す図である。
【００１７】
図３に示すように、本実施形態の診断支援装置は、表示部１０１と、ステレオカメラを構成する右カメラ１０２ａ及び左カメラ１０２ｂと、ＬＥＤ光源１０３ａ，１０３ｂと、を含む。右カメラ１０２ａ及び左カメラ１０２ｂは、表示部１０１の下に配置される。ＬＥＤ光源１０３ａ，１０３ｂは、右カメラ１０２ａ及び左カメラ１０２ｂそれぞれの外側の位置に配置される。ＬＥＤ光源１０３ａ，１０３ｂは、例えば波長８５０［ｎｍ］の近赤外線を照射する光源である。図３では、９個のＬＥＤによりＬＥＤ光源１０３ａ，１０３ｂを構成する例が示されている。なお、右カメラ１０２ａ及び左カメラ１０２ｂは、波長８５０［ｎｍ］の近赤外光を透過できるレンズを使用する。なお、ＬＥＤ光源１０３ａ，１０３ｂと、右カメラ１０２ａ及び左カメラ１０２ｂとの位置を逆にして、ＬＥＤ光源１０３ａ，１０３ｂが、右カメラ１０２ａ及び左カメラ１０２ｂそれぞれの内側の位置に配置されていてもよい。
【００１８】
図４に示すように、ＬＥＤ光源１０３ａ，１０３ｂは、被験者の眼球１１１に向かって検出光である近赤外光を照射する。ＬＥＤ光源１０３ａを照射したときに左カメラ１０２ｂで撮影を行い、ＬＥＤ光源１０３ｂを照射したときに右カメラ１０２ａで撮影を行う。右カメラ１０２ａ及び左カメラ１０２ｂと、ＬＥＤ光源１０３ａ，１０３ｂとの位置関係を適切に設定することにより、撮影される画像では、瞳孔１１２が低輝度で反射して暗くなり、眼球１１１内に虚像として生じる角膜反射１１３が高輝度で反射して明るくなる。したがって、瞳孔１１２及び角膜反射１１３の画像上の位置を２台のカメラ（右カメラ１０２ａ及び左カメラ１０２ｂ）それぞれで取得することができる。
【００１９】
さらに２台のカメラにより得られる瞳孔１１２及び角膜反射１１３の位置から、瞳孔１１２及び角膜反射１１３の位置の三次元世界座標値を算出する。本実施形態では、三次元世界座標として、表示部１０１の画面の中央位置を原点として、上下をＹ座標（上が＋）、横をＸ座標（向かって右が＋）、奥行きをＺ座標（手前が＋）としている。
【００２０】
図５は、診断支援装置１００の機能の概要を示す図である。図５では、図３及び図４に示した構成の一部と、この構成の駆動などに用いられる構成を示している。図５に示すように、診断支援装置１００は、右カメラ１０２ａと、左カメラ１０２ｂと、左カメラ１０２ｂ用のＬＥＤ光源１０３ａと、右カメラ１０２ａ用のＬＥＤ光源１０３ｂと、スピーカ２０５と、駆動・ＩＦ（interface）部３１３と、制御部３００と、記憶部１５０と、表示部１０１と、を含む。図５において、表示画面２０１は、右カメラ１０２ａ及び左カメラ１０２ｂとの位置関係を分かりやすく示しているが、表示画面２０１は表示部１０１において表示される画面である。なお、駆動部とＩＦ部は一体でもよいし、別体でもよい。
【００２１】
スピーカ２０５は、キャリブレーション時などに、被験者に注意を促すための音声などを出力する音声出力部として機能する。
【００２２】
駆動・ＩＦ部３１３は、ステレオカメラに含まれる各部を駆動する。また、駆動・ＩＦ部３１３は、ステレオカメラに含まれる各部と、制御部３００とのインタフェースとなる。
【００２３】
制御部３００は、例えば、ＣＰＵ（Central  Processing  Unit）などの制御装置と、ＲＯＭ（Read  Only  Memory）やＲＡＭ（Random  Access  Memory）などの記憶装置と、ネットワークに接続して通信を行う通信ＩＦと、各部を接続するバスを備えているコンピュータなどにより実現できる。
【００２４】
記憶部１５０は、制御プログラム、測定結果、診断支援結果など各種情報を記憶する。記憶部１５０は、例えば、表示部１０１に表示する画像等を記憶する。表示部１０１は、診断のための対象画像等、各種情報を表示する。
【００２５】
図６は、図５に示す各部の詳細な機能の一例を示すブロック図である。図６に示すように、制御部３００には、表示部１０１と、駆動・ＩＦ部３１３が接続される。駆動・ＩＦ部３１３は、カメラＩＦ３１４，３１５と、ＬＥＤ駆動制御部３１６と、スピーカ駆動部３２２と、を備える。
【００２６】
駆動・ＩＦ部３１３には、カメラＩＦ３１４，３１５を介して、それぞれ、右カメラ１０２ａ及び左カメラ１０２ｂが接続される。駆動・ＩＦ部３１３がこれらのカメラを駆動することにより、被験者を撮像する。右カメラ１０２ａからはフレーム同期信号が出力される。フレーム同期信号は、左カメラ１０２ｂとＬＥＤ駆動制御部３１６とに入力される。これにより、ＬＥＤ光源１０３ａ，１０３ｂを発光させ、それに対応して左右カメラによる画像を取り込んでいる。
【００２７】
スピーカ駆動部３２２は、スピーカ２０５を駆動する。なお、診断支援装置１００が、印刷部としてのプリンタと接続するためのインタフェース（プリンタＩＦ）を備えてもよい。また、プリンタを診断支援装置１００の内部に備えるように構成してもよい。
【００２８】
制御部３００は、診断支援装置１００全体を制御する。制御部３００は、点灯制御部３５１と、位置検出部３５２と、曲率半径算出部３５３と、視線検出部３５４と、視点検出部３５５と、出力制御部３５６と、抽出部３５７と、補正部３５８と、を備えている。
【００２９】
制御部３００に含まれる各要素（点灯制御部３５１、位置検出部３５２、曲率半径算出部３５３、視線検出部３５４、視点検出部３５５、出力制御部３５６、抽出部３５７、及び、補正部３５８）は、ソフトウェア（プログラム）で実現してもよいし、ハードウェア回路で実現してもよいし、ソフトウェアとハードウェア回路とを併用して実現してもよい。
【００３０】
プログラムで実現する場合、当該プログラムは、インストール可能な形式又は実行可能な形式のファイルでＣＤ−ＲＯＭ（Compact  Disk  Read  Only  Memory）、フレキシブルディスク（ＦＤ）、ＣＤ−Ｒ（Compact  Disk  Recordable）、ＤＶＤ（Digital  Versatile  Disk）等のコンピュータで読み取り可能な記録媒体に記録されてコンピュータプログラムプロダクトとして提供される。プログラムを、インターネット等のネットワークに接続されたコンピュータ上に格納し、ネットワーク経由でダウンロードさせることにより提供するように構成してもよい。また、プログラムをインターネット等のネットワーク経由で提供又は配布するように構成してもよい。また、プログラムを、ＲＯＭ等に予め組み込んで提供するように構成してもよい。
【００３１】
点灯制御部３５１は、ＬＥＤ駆動制御部３１６を用いて、ＬＥＤ光源１０３ａ，１０３ｂの点灯を制御する。例えば点灯制御部３５１は、ＬＥＤ光源１０３ａ，１０３ｂを、相互に異なるタイミングで点灯するように制御する。タイミングの差（時間）は、例えば、被験者の視線の移動等による視線検出結果への影響が生じない時間として予め定められた時間とすればよい。
【００３２】
位置検出部３５２は、近赤外光が照射されステレオカメラにより撮像された被験者の左右の眼球の画像から、左右それぞれの眼球の瞳孔を示す瞳孔領域、及び、左右それぞれの眼球の角膜反射を示す角膜反射領域を検出する。また位置検出部３５２は、瞳孔領域に基づき、左右それぞれの眼球の瞳孔の中心を示す瞳孔中心の位置を検出する。例えば位置検出部３５２は、瞳孔領域の輪郭上の複数の点を選択し、選択した複数の点を通る円の中心を、瞳孔中心の位置として算出する。同様に、位置検出部３５２は、角膜反射領域に基づき、左右それぞれの眼球の角膜反射の中心を示す角膜反射中心の位置を検出する。
【００３３】
曲率半径算出部３５３は、仮想光源位置と角膜反射中心とを結ぶ第１直線から、角膜曲率中心の位置を算出する。また、曲率半径算出部３５３は、仮想光源位置と角膜反射中心の位置とから、被験者の左右それぞれの眼球の角膜表面と角膜曲率中心との距離である角膜曲率半径を算出する。
【００３４】
曲率半径算出部３５３は、目標位置を被験者に注視させたときに算出された瞳孔中心及び角膜反射中心を用いて、瞳孔中心と目標位置とを結ぶ第２直線と、角膜反射中心と仮想光源位置とを結ぶ第１直線と、の交点を算出する。算出された交点が、角膜曲率中心である。曲率半径算出部３５３は、瞳孔中心と角膜曲率中心との距離を算出し、記憶部１５０に記憶する。また、曲率半径算出部３５３は、角膜表面と角膜曲率中心との距離である角膜曲率半径を算出し、記憶部１５０に記憶する。
【００３５】
目標位置は、予め定められ、三次元世界座標値が算出できる位置であればよい。例えば、表示画面２０１の中央位置（三次元世界座標の原点）を目標位置とすることができる。この場合、例えば出力制御部３５６が、表示画面２０１上の目標位置（中央位置）に、被験者に注視させる目標画像等を表示する。これにより、被験者に目標位置を注視させることができる。
【００３６】
目標画像は、被験者を注目させることができる画像であればどのような画像であってもよい。例えば、輝度や色などの表示態様が変化する画像、及び、表示態様が他の領域と異なる画像などを目標画像として用いることができる。
【００３７】
なお、目標位置は表示画面２０１の中央位置に限られるものではなく、任意の位置でよい。表示画面２０１の中央位置を目標位置とすれば、表示画面２０１の任意の端部との距離が最小になる。このため、例えば視線検出時の測定誤差をより小さくすることが可能となる。
【００３８】
瞳孔中心と角膜曲率中心との距離の算出及び角膜曲率半径の算出までの処理は、例えば実際の視線検出を開始するまでに事前に実行しておく。視線検出時には、曲率半径算出部３５３は、仮想光源位置と角膜反射中心とを結ぶ第１直線上で、瞳孔中心からの距離が、事前に算出した距離となる位置を、角膜曲率中心として算出可能である。曲率半径算出部３５３は、仮想光源位置と、表示部上の目標画像を示す所定の位置と、瞳孔中心の位置と、角膜反射中心の位置と、から角膜曲率中心の位置を算出し、角膜曲率半径を算出する。
【００３９】
視線検出部３５４は、瞳孔中心の位置と角膜曲率半径又は角膜曲率中心の位置とから、被験者の左右それぞれの眼球の視線方向を検出する。例えば視線検出部３５４は、角膜曲率中心から瞳孔中心へ向かう方向を被験者の視線方向として検出する。
【００４０】
視点検出部３５５は、視線検出部３５４において瞳孔中心の位置と角膜曲率半径又は角膜曲率中心の位置とから検出された視線方向から、被験者の左右それぞれの眼球の視点を検出する。視点検出部３５５は、例えば、表示画面２０１で被験者が注視する点である視点（注視点）を検出する。視点検出部３５５は、例えば図４のような三次元世界座標系で表される視線ベクトルとＸＹ平面との交点を、被験者の視点として検出する。
【００４１】
抽出部３５７は、左右カメラにより撮像された被験者の左右の眼球の画像から、左右それぞれの眼球の瞳孔の大きさを示す瞳孔パラメータを抽出する。本実施形態において、瞳孔パラメータは、左右カメラにより撮像された画像において取得される左右それぞれの眼球の瞳孔の面積である。抽出部３５７は、被験者の左右の眼球の画像から、左の眼球の瞳孔の面積と、右の眼球の瞳孔の面積とを抽出する。
【００４２】
補正部３５８は、視点検出部３５５で検出された右の眼球の視点と左の眼球の視点とを瞳孔パラメータに基づいて補正して、合成視点を算出する。
【００４３】
出力制御部３５６は、表示部１０１及びスピーカ２０５などに対する各種情報の出力を制御する。本実施形態において、出力制御部３５６は、補正部３５８で算出された被験者の合成視点を表示部１０１に表示させる。また、出力制御部３５６は、表示部１０１上の目標位置に目標画像を出力させる。また、出力制御部３５６は、診断画像、及び、評価部による評価結果などの表示部１０１に対する出力を制御する。
【００４４】
図７は、１つの光源を用いると仮定した場合の処理の概要を説明する図である。図３から図６で説明した要素については同一の符号を付し説明を省略する。図７の例では、２つのＬＥＤ光源１０３ａ，１０３ｂの代わりに、１つのＬＥＤ光源２０３が用いられる。
【００４５】
瞳孔中心４０７及び角膜反射中心４０８は、それぞれ、１つのＬＥＤ光源２０３を点灯させた際に検出される瞳孔中心、及び、角膜反射中心を表している。角膜反射中心４０８は、ＬＥＤ光源２０３と角膜曲率中心４１０とを結んだ直線上に存在し、その位置は角膜曲率中心４１０と角膜表面との中間点に現れる。角膜曲率半径４０９は、角膜表面から角膜曲率中心４１０までの距離を表す。ＬＥＤ光源２０３は、ここでは１個のＬＥＤとしているが、数個の小さいＬＥＤを組み合わせて１ヵ所に配置されたものであっても構わない。
【００４６】
図８は、本実施形態の診断支援装置１００により実行される処理の概要を説明する図である。図３から図６で説明した要素については同一の符号を付し説明を省略する。
【００４７】
角膜反射点６２１は左カメラ１０２ｂで撮影したときの画像上の角膜反射点を表す。角膜反射点６２２は右カメラ１０２ａで撮影したときの画像上の角膜反射点を表す。本実施形態では、右カメラ１０２ａと右カメラ用のＬＥＤ光源１０３ｂ、及び、左カメラ１０２ｂと左カメラ用のＬＥＤ光源１０３ａは、例えば右カメラ１０２ａと左カメラ１０２ｂの中間位置を通る直線に対して左右対称の位置関係にある。このため、右カメラ１０２ａと左カメラ１０２ｂの中間位置（仮想光源位置）に仮想光源３０３があるとみなすことができる。角膜反射点６２４は、仮想光源３０３に対応する角膜反射点を表す。角膜反射点６２１の座標値と角膜反射点６２２の座標値を、左右カメラの座標値を三次元世界座標に変換する変換パラメータを用いて変換することにより、角膜反射点６２４の世界座標値が算出される。仮想光源３０３と角膜反射点６２４を結ぶ直線５２３上に角膜曲率中心５０５が存在する。角膜曲率中心５０５の位置及び角膜表面の位置が算出されることにより、角膜曲率半径５０９が算出される。このように、図７で表した光源が１ヵ所の視線検出方法と同等の方法で視点検出が可能である。
【００４８】
なお右カメラ１０２ａと左カメラ１０２ｂとの位置関係、及び、ＬＥＤ光源１０３ａとＬＥＤ光源１０３ｂとの位置関係は、上述の位置関係に限られるものではない。例えば同一の直線に対して、それぞれの位置関係が左右対称となる関係であってもよいし、右カメラ１０２ａと左カメラ１０２ｂと、ＬＥＤ光源１０３ａとＬＥＤ光源１０３ｂとは同一直線上になくてもよい。
【００４９】
図９は、視線検出又は視点検出を行う前に、角膜曲率中心６１５の位置、及び、瞳孔中心６１１の位置と角膜曲率中心６１５の位置との距離６１６を算出するキャリブレーション処理を説明するための図である。図３から図６で説明した要素については同一の符号を付し説明を省略する。
【００５０】
目標位置６０５は、表示部１０１上の一点に目標画像等を出して、被験者に見つめさせるための位置である。本実施形態では表示部１０１の画面の中央位置としている。直線６１３は、仮想光源３０３と角膜反射中心６１２とを結ぶ直線である。直線６１４は、被験者が見つめる注視点である目標位置６０５と瞳孔中心６１１とを結ぶ直線である。角膜曲率中心６１５は、直線６１３と直線６１４との交点である。角膜曲率半径６０９は、角膜表面と角膜曲率中心６１５との距離である。曲率半径算出部３５３は、瞳孔中心６１１と角膜曲率中心６１５との距離６１６及び角膜曲率半径６０９を算出して記憶部１５０に記憶する。
【００５１】
図１０は、本実施形態のキャリブレーション処理の一例を示すフローチャートである。出力制御部３５６は、表示部１０１の画面上の１点に目標画像を再生し（ステップＳ１０１）、被験者にその１点を注視させる。次に、点灯制御部３５１は、ＬＥＤ駆動制御部３１６を用いてＬＥＤ光源１０３ａ，１０３ｂのうち一方を被験者の眼に向けて点灯させる（ステップ１０２）。制御部３００は、左右カメラ（右カメラ１０２ａ，左カメラ１０２ｂ）のうち点灯したＬＥＤ光源からの距離が長い方のカメラで被験者の眼を撮像する（ステップＳ１０３）。次に、点灯制御部３５１は、ＬＥＤ光源１０３ａ，１０３ｂのうち他方を被験者の眼に向けて点灯させる（ステップＳ１０４）。制御部３００は、左右カメラのうち点灯したＬＥＤ光源からの距離が長い方のカメラで被験者の眼を撮像する（ステップＳ１０５）。
【００５２】
なお、点灯したＬＥＤ光源からの距離が長いカメラ以外のカメラによる撮像を停止しなくてもよい。すなわち、少なくとも点灯したＬＥＤ光源からの距離が長い方のカメラで被験者の眼を撮像し、撮像した画像が座標算出等に利用可能となっていればよい。
【００５３】
ステップＳ１０５の後、左の眼球である左眼についての処理と、右の眼球である右眼についての処理とが別々に実施される。まず、左眼についてのキャリブレーション処理について説明する。
【００５４】
ＬＥＤ光源１０３ａ又はＬＥＤ光源１０３ｂの照射により、左眼の瞳孔領域は暗い部分（暗瞳孔）として検出される。またＬＥＤ照射の反射として、左眼の角膜反射の虚像が発生し、明るい部分として角膜反射点（角膜反射中心）が検出される。すなわち、位置検出部３５２は、撮像された画像から左眼の瞳孔領域を検出し、左眼の瞳孔中心の位置を示す座標を算出する。位置検出部３５２は、例えば左眼を含む一定領域の中で最も暗い部分を含む所定の明るさ以下の領域を瞳孔領域として検出し、最も明るい部分を含む所定の明るさ以上の領域を角膜反射として検出する。また、位置検出部３５２は、撮像された画像から左眼の角膜反射領域を検出し、角膜反射中心の位置を示す座標を算出する。なお、位置検出部３５２は、左右カメラで取得した２つの画像それぞれに対して、左眼の瞳孔中心の座標値及び角膜反射中心の座標値を算出する（ステップＳ１０６Ｌ）。
【００５５】
なお、左右カメラは、三次元世界座標を取得するために、事前にステレオ較正法によるカメラ較正が行われており、変換パラメータが算出されている。ステレオ較正法は、Ｔｓａｉのカメラキャリブレーション理論を用いた方法など従来から用いられているあらゆる方法を適用できる。
【００５６】
位置検出部３５２は、この変換パラメータを使用して、左右カメラの座標から、左眼の瞳孔中心と角膜反射中心を三次元世界座標に変換する（ステップＳ１０７Ｌ）。例えば位置検出部３５２は、ＬＥＤ光源１０３ａが点灯されたときに左カメラ１０２ｂにより撮像された画像から得られた座標を左カメラの座標とし、ＬＥＤ光源１０３ｂが点灯されたときに右カメラ１０２ａにより撮像された画像から得られた座標を右カメラの座標として、変換パラメータを用いて三次元世界座標への変換を行う。この結果得られる世界座標値は、仮想光源３０３から光が照射されたと仮定したときに左右カメラで撮像された画像から得られる世界座標値に対応する。曲率半径算出部３５３は、求めた角膜反射中心の世界座標と、仮想光源３０３の中心位置の世界座標とを結ぶ直線を求める（ステップＳ１０８Ｌ）。次に、曲率半径算出部３５３は、表示部１０１の画面上の１点に表示される目標画像の中心の世界座標と、左眼の瞳孔中心の世界座標とを結ぶ直線を算出する（ステップＳ１０９Ｌ）。曲率半径算出部３５３は、ステップＳ１０８Ｌで算出した直線とステップＳ１０９Ｌで算出した直線との交点を求め、この交点を左眼の角膜曲率中心とする（ステップＳ１１０Ｌ）。曲率半径算出部３５３は、このときの瞳孔中心と角膜曲率中心との間の距離を算出して記憶部１５０に記憶する（ステップＳ１１１Ｌ）。記憶された距離は、その後の視点（視線）検出時に、角膜曲率中心を算出するために使用される。
【００５７】
キャリブレーション処理で表示部１０１上の１点を見つめる際の瞳孔中心と角膜曲率中心との距離は、表示部１０１内の視点を検出する範囲で一定に保たれている。瞳孔中心と角膜曲率中心との距離は、目標画像を再生中に算出された値全体の平均から求めてもよいし、再生中に算出された値のうち何回かの値の平均から求めてもよい。
【００５８】
曲率半径算出部３５３は、左眼の角膜曲率半径を算出する（ステップＳ１１２Ｌ）。曲率半径算出部３５３は、算出した左眼の角膜曲率半径ｒ１を記憶部１５０に記憶する（ステップＳ１１３Ｌ）。
【００５９】
以上、左眼の角膜曲率半径の記憶までの手順について説明した。左眼についてのステップＳ１０６ＬからステップＳ１１３Ｌと同様の手順が、右眼についても実施され（ステップＳ１０６ＲからステップＳ１１３Ｒ）、右眼の角膜曲率半径が算出され記憶される。右眼の角膜曲率半径の記憶までの手順についての説明は省略する。
【００６０】
図１１は、視点検出を行う際に、事前に求めた瞳孔中心と角膜曲率中心との距離を使用して、補正された角膜曲率中心の位置を算出する方法を示した図である。注視点８０５は、一般的な曲率半径値を用いて算出した角膜曲率中心から求めた注視点を表す。注視点８０６は、事前に求めた距離を用いて算出した角膜曲率中心から求めた注視点を表す。
【００６１】
瞳孔中心８１１及び角膜反射中心８１２は、それぞれ、視点検出時に算出された瞳孔中心の位置、及び、角膜反射中心の位置を示す。直線８１３は、仮想光源３０３と角膜反射中心８１２とを結ぶ直線である。角膜曲率中心８１４は、一般的な曲率半径値から算出した角膜曲率中心の位置である。距離８１５は、事前のキャリブレーション処理により算出した瞳孔中心と角膜曲率中心との距離である。角膜曲率中心８１６は、事前に求めた距離を用いて算出した角膜曲率中心の位置である。角膜曲率中心８１６は、角膜曲率中心が直線８１３上に存在すること、及び、瞳孔中心と角膜曲率中心との距離が距離８１５であることから求められる。これにより一般的な曲率半径値を用いる場合に算出される視線８１７は、視線８１８に補正される。また、表示部１０１の画面上の注視点は、注視点８０５から注視点８０６に補正される。
【００６２】
図１２は、本実施形態の視線検出処理の一例を示すフローチャートである。まず、図１２に示すステップＳ２０１からステップＳ２０４までの処理が実施される。ステップＳ２０１からステップＳ２０４は、図１０のステップＳ１０２からステップＳ１０５と同様であるため説明を省略する。
【００６３】
ステップＳ２０４の後、左の眼球である左眼についての処理と、右の眼球である右眼についての処理とが別々に実施される。まず、左眼についての視線検出処理について説明する。なお、図１２に示すステップＳ２０５ＬからステップＳ２０７Ｌまでの処理は、図１０のステップＳ１０６ＬからステップＳ１０８Ｌまでの処理と同様であるため説明を省略する。
【００６４】
視線検出部３５４は、被験者の左眼の瞳孔中心及び角膜反射中心の世界座標値を算出し、図１０のステップＳ１１３Ｌで記憶部１５０に記憶した角膜曲率半径ｒ１に基づいて、被験者の左眼の角膜曲率中心を算出する（ステップＳ２０８Ｌ）。曲率半径算出部３５３は、ステップＳ２０７Ｌで算出した直線上であって、図１０のステップＳ１１３Ｌで記憶部１５０に記憶した角膜曲率半径ｒ１の角膜曲率中心と等しい位置を左眼の角膜曲率中心として算出する。
【００６５】
視線検出部３５４は、左眼の瞳孔中心と角膜曲率中心とを結ぶ視線ベクトルを求める（ステップＳ２０９Ｌ）。この視線ベクトルが、被験者の左眼が見ている視線方向を示している。視点検出部３５５は、左眼の視線ベクトルと表示部１０１の画面との交点の三次元世界座標値を算出する（ステップＳ２１０Ｌ）。この値が、被験者の左眼が注視する表示部１０１上の１点を世界座標で表した座標値である。視点検出部３５５は、求めた三次元世界座標値を、表示部１０１の二次元座標系で表される座標値（ｘ１，ｙ１）に変換する。これにより、被験者の左眼が見つめる表示部１０１上の視点の位置が算出される（ステップＳ２１１Ｌ）。
【００６６】
抽出部３５７は、左眼の画像から、左眼の瞳孔の大きさを示す瞳孔パラメータとして、左眼の瞳孔の面積を算出する（ステップＳ２１２Ｌ）。抽出部３５７は、左眼の視点の位置が算出されたときの、その左眼の瞳孔の面積を算出する。換言すれば、同じフレームで得られた画像から、左眼の視点の位置の検出と、左眼の瞳孔の面積の検出とが実施される。
【００６７】
ステレオカメラで撮影される左眼の画像は、撮影が実施されるタイミングによって異なる可能性が高い。例えば、被験者がまばたきしたり伏し目になったりした場合、図１３の模式図に示すように、瞳孔２３の一部又は全部が瞼２４で隠れる。その場合、ステレオカメラで撮影される画像において、瞳孔２３の面積は小さくなる。一方、被験者が眼を大きく見開いた場合、ステレオカメラで撮影される画像において、瞳孔２３の面積は大きくなる。
【００６８】
図１４は、撮影された画像において瞳孔２３の面積を求める方法を模式的に示す図である。瞳孔２３とその周囲の虹彩２２又は瞼２４とのコントラストは異なる。したがって、そのコントラストの違いから、画像において瞳孔２３の外形又は輪郭が規定される。外形が規定された瞳孔２３に配置される画素の数が導出されることにより、１つの画素の面積と、その画素の数とに基づいて、瞳孔２３の面積が算出される。
【００６９】
以上、左眼の視点の座標値（ｘ１，ｙ１）の算出（ステップＳ２１１Ｌ）及び左眼の瞳孔の面積の算出（ステップＳ２１２Ｌ）までの手順について説明した。左眼についてのステップＳ２０５ＬからステップＳ２１２Ｌと同様の手順が、右眼についても実施される（ステップＳ２０５ＲからステップＳ２１２Ｒ）。ステップＳ２１１Ｒにおいては右眼の視点の座標値（ｘ２，ｙ２）が算出され、ステップＳ２１２Ｒにおいては右眼の瞳孔の面積が算出される。右眼の瞳孔の面積の算出までの手順についての説明は省略する。
【００７０】
左眼の視点の位置及びその視点のときの左眼の瞳孔の面積が算出され、右眼の視点の位置及びその視点のときの右眼の瞳孔の面積が算出された後、補正部３５８は、左眼の視点と右眼の視点とを瞳孔パラメータに基づいて補正して合成視点を算出する（ステップＳ２１３）。
【００７１】
補正部３５８は、左眼の視点の位置と右眼の視点の位置とを、ステップＳ２１２Ｌ，Ｓ２１２Ｒで算出された左眼の瞳孔の面積及び右眼の瞳孔の面積に基づいて補正する。左眼の視点の位置の座標値が（ｘ１，ｙ１）であり、右眼の視点の位置の座標値が（ｘ２，ｙ２）であり、左眼の瞳孔の面積がＳＬであり、右眼の瞳孔の面積がＳＲである場合、補正部３５８は、以下の（１）式の演算処理を実施して、合成視点（ｘａ，ｙａ）の位置を算出する。
【００７２】
（ｘａ，ｙａ）
＝（ｘ１，ｙ１）×ＳＬ／（ＳＲ＋ＳＬ）＋（ｘ２，ｙ２）×ＳＲ／（ＳＲ＋ＳＬ）
…（１）
（１）式に示すように、補正部３５８による補正は、左右の瞳孔の面積ＳＬ，ＳＲを使って、左眼の視点の位置及び右眼の視点の位置に重みを付与することを含む。補正部３５８は、抽出された瞳孔パラメータに基づいて、左右の眼球の瞳孔のうち瞳孔パラメータ（瞳孔の面積）が大きい方の眼球の視点の位置に付与する重みを、瞳孔パラメータ（瞳孔の面積）が小さい方の眼球の視点の位置に付与する重みよりも大きくする。例えば、左眼の瞳孔の面積ＳＬが右眼の瞳孔の面積ＳＲよりも大きい場合、左眼の視点に付与される重みは、右眼の視点に付与される重みよりも大きい。
【００７３】
瞳孔中心は、画像に現れている瞳孔領域の輪郭上の複数の点が選択され、選択された複数の点を通る円の中心として算出される。一般に、瞳孔の面積が大きいほど、瞳孔が瞼で隠れている割合が少なくなり、瞳孔中心を正確に求めることができる。そのため、左眼と右眼との合成視点を算出する場合、瞳孔の面積が大きい方の眼球の視点に付与する重みを、瞳孔の面積が小さい方の眼球の視点に付与する重みよりも大きくすることにより、合成視点の位置（ｘａ，ｙａ）を精度良く算出することができる。
【００７４】
出力制御部３５６は、算出された座標値（ｘａ，ｙａ）を有する合成視点を表示部１０１に表示する（ステップＳ２１４）。
【００７５】
図１５は、ステップＳ２１４において出力制御部３５６により表示部１０１に表示される視点の一例を示す図である。図１５に示すように、表示部１０１には、指標画像Ｃ１，Ｃ２，Ｃ３，Ｃ４，Ｃ５が表示される。被験者の眼球の動き方を評価するために、左右両方の眼球の視点が、指標画像Ｃ１，Ｃ２，Ｃ３，Ｃ４，Ｃ５の順番で移動するように、被験者に指示がなされる。
【００７６】
左右両方の眼球の視点が合成された合成視点を示すプロット点Ｐが表示部１０１に表示される。視点の検出及び合成が実施された後、診断支援装置１００に設けられた操作入力部が操作者又は被験者によって操作され、その操作によりプロット点Ｐが表示部１０１に表示される。視点の検出は、左右カメラから出力されるフレーム同期信号の周期（例えば５０［ｍｓｅｃ］毎）に実施される。したがって、プロット点Ｐの間隔が大きいほど視点の動きが速いことを示す。
【００７７】
以上説明したように、本実施形態によれば、左右それぞれの眼球の瞳孔の大きさを示す瞳孔パラメータが抽出され、その瞳孔パラメータに基づいて左の眼球の視点の位置と右の眼球の視点の位置とが補正されて合成視点が算出されるので、合成視点の位置を精度良く算出することができる。
【００７８】
また、一般に、瞳孔の面積が大きいほど、瞳孔が瞼で隠れている割合が少なくなり、瞳孔中心を正確に求めることができる。そのため、瞳孔パラメータとして瞳孔の面積を採用することにより、合成視点の位置を精度良く算出することができる。
【００７９】
また、左右の眼球のうち瞳孔の面積が大きいほど、その眼球の視点の位置に付与する重みを大きくすることにより、合成視点の位置は精度良く算出される。
【００８０】
また、精度良く算出された合成視点が表示部１０１に表示されることにより、操作者又は被験者は、表示部１０１を見て視点の動きを正確に把握することができる。
【００８１】
なお、瞳孔パラメータは、画像において取得される瞳孔の面積でなくてもよい。画像において取得される瞳孔の外形でもよいし、瞳孔の輪郭の円弧部分の長さでもよいし、画像における瞳孔の縦横比でもよい。瞳孔の輪郭の円弧部分が長いことは被験者の瞼が開いていることを意味し、瞳孔の輪郭の円弧部分が短いことは被験者の瞼が閉じていることを意味する。また、瞳孔の横の寸法と縦の寸法とが近似していることは被験者の瞼が開いていることを意味し、瞳孔の横の寸法が縦の寸法よりも大きいことは被験者の瞼が閉じていることを意味する。
（変形例）
瞳孔中心位置と角膜曲率中心位置との距離を算出するキャリブレーション処理は、図９及び図１０で説明した方法に限られるものではない。以下では、算出処理の他の例について図１６及び図１７を用いて説明する。
【００８２】
図１６は、本変形例の算出処理を説明するための図である。図３から図６及び図９で説明した要素については同一の符号を付し説明を省略する。
【００８３】
線分１１０１は、目標位置６０５と仮想光源位置とを結ぶ線分（第１線分）である。線分１１０２は、線分１１０１と平行で、瞳孔中心６１１と直線６１３とを結ぶ線分（第２線分）である。本変形例では、以下のように、線分１１０１、線分１１０２を用いて瞳孔中心６１１と角膜曲率中心６１５との距離６１６を算出して記憶しておく。
【００８４】
図１７は、本変形例の算出処理の一例を示すフローチャートである。なお、図１７は、左右の眼球のうち一方の眼球についての処理を示す。
【００８５】
ステップＳ６０１からステップＳ６０９は、図１０のステップＳ１０１ＬからステップＳ１０９Ｌと同様であるため説明を省略する。
【００８６】
曲率半径算出部３５３は、表示部１０１の画面上の１点に表示される目標画像の中心と、仮想光源位置とを結ぶ線分（図１６では線分１１０１）を算出するとともに、算出した線分の長さ（Ｌ１１０１とする）を算出する（ステップＳ６１０）。
【００８７】
曲率半径算出部３５３は、瞳孔中心６１１を通り、ステップＳ６１０で算出した線分と平行な線分（図１６では線分１１０２）を算出するとともに、算出した線分の長さ（Ｌ１１０２とする）を算出する（ステップＳ６１１）。
【００８８】
曲率半径算出部３５３は、角膜曲率中心６１５を頂点とし、ステップＳ６１０で算出した線分を底辺とする三角形と、角膜曲率中心６１５を頂点とし、ステップＳ６１１で算出した線分を底辺とする三角形とが相似関係にあることに基づき、瞳孔中心６１１と角膜曲率中心６１５との間の距離６１６を算出する（ステップＳ６１２）。例えば曲率半径算出部３５３は、線分１１０１の長さに対する線分１１０２の長さの比率と、目標位置６０５と角膜曲率中心６１５との間の距離に対する距離６１６の比率と、が等しくなるように、距離６１６を算出する。
【００８９】
距離６１６は、以下の（２）式により算出することができる。なおＬ６１４は、目標位置６０５から瞳孔中心６１１までの距離である。
【００９０】
距離６１６＝（Ｌ６１４×Ｌ１１０２）／（Ｌ１１０１−Ｌ１１０２）・・・（２）
曲率半径算出部３５３は、算出した距離６１６を記憶部１５０などに記憶する（ステップＳ６１３）。記憶された距離は、その後の視点（視線）検出時に、角膜曲率中心を算出するために使用される。
【符号の説明】
【００９１】
１１  目、１２  虹彩、１３  瞳孔、２１  目、２２  虹彩、２３  瞳孔、２４  瞼、
１００  診断支援装置、１０１  表示部、１０２ａ  右カメラ、１０２ｂ  左カメラ、
１０３ａ  ＬＥＤ光源、１０３ｂ  ＬＥＤ光源、１１１  眼球、１１２  瞳孔、
１１３  角膜反射、１５０  記憶部、２０１  表示画面、２０３  ＬＥＤ光源、
２０５  スピーカ、３００  制御部、３０３  仮想光源、３１３  駆動・ＩＦ部、
３１４  カメラＩＦ、３１５  カメラＩＦ、３１６  ＬＥＤ駆動制御部、
３２２  スピーカ駆動部、３５１  点灯制御部、３５２  位置検出部、
３５３  曲率半径算出部、３５４  視線検出部、３５５  視点検出部
３５６  出力制御部、３５７  抽出部、３５８  判定部、４０７  瞳孔中心、
４０８  角膜反射中心、４０９  角膜曲率半径、５０５  角膜曲率中心、
５０９  角膜曲率半径、５２３  直線、６０５  目標位置、６０９  角膜曲率半径、
６１１  瞳孔中心、６１２  角膜反射中心、６１３  直線、６１４  直線、
６１５  角膜曲率中心、６１６  距離、６２１  角膜反射点、６２２  角膜反射点、
６２４  角膜反射点、８０５  注視点、８０６  注視点、８１１  瞳孔中心、
８１２  角膜反射中心、８１３  直線、８１４  角膜曲率中心、８１５  距離、
８１６  角膜曲率中心、８１７  視線、８１８  視線
【図１】
2020038734.tif 000003
【図２】
2020038734.tif 000004
【図３】
2020038734.tif 000005
【図４】
2020038734.tif 000006
【図５】
2020038734.tif 000007
【図６】
2020038734.tif 000008
【図７】
2020038734.tif 000009
【図８】
2020038734.tif 000010
【図９】
2020038734.tif 000011
【図１０】
2020038734.tif 000012
【図１１】
2020038734.tif 000013
【図１２】
2020038734.tif 000014
【図１３】
2020038734.tif 000015
【図１４】
2020038734.tif 000016
【図１５】
2020038734.tif 000017
【図１６】
2020038734.tif 000018
【図１７】
2020038734.tif 000019